(57)【特許請求の範囲】
【請求項１】
フードモーターを含むフード装置と、
マグネトロンと、
１次及び２次コイルを備え、前記１次及び２次コイルの捲線比によって高圧を発生させ前記マグネトロンに供給するトランスフォーマと、
前記フード装置の作動を制御するフード装置駆動部と、
前記トランスフォーマに供給される電源を調節する出力変換手段と、
作動初期に前記フード装置と前記マグネトロンが同時に最大出力で作動されることを防止するように前記フード装置駆動部と前記出力変換手段を制御し、所定時間の経過後は電子レンジを最大出力で正常作動するように制御する制御部とを備えることを特徴とする壁掛け型電子レンジ。
【請求項２】
前記出力変換手段は、
前記電子レンジに供給される商用交流を直流に変換する整流部と、
前記整流部により変換された直流をスイッチングして前記トランスフォーマの１次コイルに電源を供給するスイッチング部と、
前記制御部の制御に基づき前記スイッチング部をスイッチングするパルスのデューティー比を調節するパルス幅変調部とを含むことを特徴とする請求項１に記載の壁掛け型電子レンジ。
【請求項３】
フードモーターを含むフード装置を備えた壁掛け型電子レンジの制御方法において、
作動処理の所定時間中には前記フードモーター及び電子レンジの出力が同時に最大出力になることを防止するように制御する初期段階と、
前記初期段階で前記所定時間が経過すれば最大出力で正常作動する段階とを含むことを特徴とする壁掛け型電子レンジの制御方法。
【請求項４】
前記初期段階は、
前記電子レンジを作動する段階と、
前記電子レンジが作動されてから予め設定された基準時間が経過した後前記フードモーターを作動させる段階とを含むことを特徴とする請求項３に記載の壁掛け型電子レンジの制御方法。
【請求項５】
前記初期段階は、
前記フードモータをターンオンさせる段階と、前記フードモータがターンオンする際予め設定された時間中電子レンジを予め設定された最大出力以下に作動させる段階と、
前記基準時間が経過すれば電子レンジを前記最大出力で作動させる段階とを含むことを特徴とする請求項３に記載の壁掛け型電子レンジの制御方法。
【請求項６】
前記初期段階は、
前記電子レンジのみを作動する段階と、
前記電子レンジの作動後予め設定された第１基準時間が経過した後前記フードモーターを作動させて回転数を増やす段階と、
前記フードモータ作動後予め設定された第２基準時間が経過すれば前記フードモータを最高回転数で作動させる段階を含むことを特徴とする請求項３に記載の壁掛け型電子レンジの制御方法。
【発明の詳細な説明】
【０００１】
【発明の属する技術分野】
本発明は電子レンジに係り、さらに詳しくは作動初期にフード装置と電子レンジが同時に最大出力で作動されることを防止する壁掛け型電子レンジ及びその制御方法に関する。
【０００２】
【従来の技術】
一般に、電子レンジ(Micro wave oven)は熱伝導及び熱輻射などを利用した外部加熱方式の調理機器とは違って、超高周波によって調理する装置である。このような電子レンジは、マグネトロンという超高周波発振管に高圧電気を加えて２４５０ＭＨｚの超高周波を発生させる。マグネトロンにおいて発生された２４５０ＭＨｚの超高周波は１秒に２４億５千万回も電界の方向が変わるが、この超高周波を食品に加えるようになれば、食品を構成している分子は１秒に２４億５千万回も回転し多くの摩擦熱が発生するようになり、この熱によって食品が調理されるのである。
【０００３】
図１は従来の壁掛け型電子レンジの作動を説明するためのグラフである。
図１に示した通り、従来の壁掛け型電子レンジは調理時電子レンジの作動と共にフードモーターが作動する。これに伴い多くの電力が消費される作動初期にフードモーターと電子レンジが同時に作動するようになって消費電力が増える。
【０００４】
したがって、作動初期フードモーターの作動によって、電子レンジの作動を制御することが求められるが、従来の壁掛け型電子レンジはフード装置の作動成否によって電子レンジの出力レベルを調節できないため、消費電力の増大あるいは過負荷問題を効率よく解決できない短所があった。
【０００５】
【発明が解決しようとする課題】
本発明はこのような問題点を解決するために案出されたもので、その目的は作動初期所定時間中はフード装置と電子レンジとが同時に最大出力で作動されることを防止する壁掛け型電子レンジ及びその制御方法を提供するところにある。
【０００６】
【課題を解決するための手段】
前記目的を達成するための本発明に係る壁掛け型電子レンジ及びその制御方法は、フード装置の作動を制御するフード装置駆動部と、トランスフォーマに供給される電源を調節する出力変換手段と、作動初期にフード装置とマグネトロンが同時に最大出力で作動されることを防止するようにフード装置駆動部と出力変換手段を制御する制御部とを備えることを特徴とする。そして、作動初期所定時間中フードモーター及び電子レンジが同時に最大出力で作動されることを防止するようにフードモーター及び電子レンジの作動を制御する初期段階と、初期段階で所定時間が経過すれば正常作動する段階とを含むことを特徴とする。
【０００７】
【発明の実施の形態】
以下、添付した図面に基づき本発明に係る望ましい実施形態を詳細に説明する。
図２は本発明に係る壁掛け型電子レンジの作動を説明するための回路図である。
図２を参照すれば、本発明に係る壁掛け型電子レンジは、フードモーターＨＭとフードモーターＨＭの作動をスイッチングするフードモーターリレイ２１と、フードランプＨＬとフードランプＨＬの作動をスイッチングするフードランプリレイ２２を含むフード装置を備える。
【０００８】
本発明に係る壁掛け型電子レンジは、また電子レンジのあらゆる全体動作を制御する制御部１００と、使用者から動作命令を入力されうるように制御部１００と電気的に接続されたキー入力部９０を具備する。前記キー入力部９０は、使用者から各種調理命令とフード装置の作動命令を入力され制御部１００に伝送する。
【０００９】
前記制御部８０の出力端には、前記フード装置２０を駆動させるフード装置駆動部１２０と、後述する各種リレイを駆動するためのリレイ駆動部１１０と、後述する出力変換手段６０のパルス幅変調部６２が接続される。
【００１０】
本発明に係る壁掛け型電子レンジは、また電源に含まれたノイズを除去するためのフィルター部３０と、前記制御部１００に供給される低電圧を生成して供給する低圧トランスフォーマ４０を含む。前記低圧トランスフォーマ４０はフィルター部３０を経て電源コード１０と連結され、前記電源コード１０を介して印加された電圧を制御部１００に供給するための低電圧に減圧させる。
【００１１】
前記フィルター部３０の後端の電源ラインには、１次安全スイッチ５１が連結され電子レンジドアの開閉によって前記電源コード１０を介して供給される電源を遮断させる。また、前記１次安全スイッチ５１が故障した場合、前記１次安全スイッチ５１とは逆に動作され、ショット回路を形成するモニタースイッチ５２が前記１次安全スイッチ５１と接続される。前記１次安全スイッチ５１の一側には、調理室のランプＬが２次安全スイッチ５３と接続され、前記２次安全スイッチ５３のオン/オフによって点灯または消灯する。
【００１２】
一方、前記２次安全スイッチ５３の後端には、パワーリレイ５４が接続され、前記パワーリレイ５４とモニタースイッチ５２との間にはターンテーブルを回転させるための駆動モーターＤＭ及び冷却ファンモーターＦＭが接続される。前記パワーリレイ５４と高圧トランスフォーマ７０の１次コイルとの間には、出力変換手段６０が接続されるが、前記パワーリレイ５４は、前記第２安全スイッチ５３を通じて印加された電源を断続することにより、出力変換手段６０に供給される電源を制御する。
【００１３】
前記出力変換手段６０は、商用交流電源を整流する整流部６１と、複数個のスイッチング素子を備えて整流部６１で整流され、高圧トランスフォーマ７０の１次コイルに供給される直流をスイッチングするスイッチ部６３を含む。前記スイッチ部６３は、前記整流部６１の出力端に直列に接続される第１スイッチング素子Ｑ１及び第２スイッチング素子Ｑ２で構成される。前記スイッチ部６３と第１キャパシタＣ１は、並列に接続され、また直列接続された第２キャパシタＣ２及び第３キャパシタＣ３が前記スイッチ部６３に対して並列に接続される。
【００１４】
以下、前述した構成を有する本発明に係る壁掛け型電子レンジの制御方法を説明する。
本発明に係る制御方法は、作動初期所定時間中フード装置と電子レンジが同時に最大出力で作動されないようにし、所定時間が経過すれば正常作動することにより全体消費電力を調節し、過負荷を防止するためである。
【００１５】
前記作動初期所定時間中フード装置と電子レンジが同時に最大出力で作動されないようにするための本発明に係る第１の制御方法は、図３（Ａ）及び図４Ａに示した通り、作動初期電子レンジを先に作動させ、所定時間経過後フード装置のフードモーターを作動させる。このための制御方法は次の通りである。
【００１６】
制御部１００はキー入力部９０を介して入力される情報を基づき作動開始、すなわち調理開始か否かを判断する（Ｓ１０）。段階（Ｓ１０）において作動開始と判断されれば、制御部１００は出力変換手段６０のパルス幅変調部６２を制御して第１スイッチング素子Ｑ１及び第２スイッチング素子Ｑ２をターンオンさせ電子レンジを作動させる（Ｓ２０）。
【００１７】
電子レンジが作動されれば、制御部１００は予め設定された基準時間が経過したかを判断する（Ｓ３０）。段階（Ｓ３０）において予め設定された基準時間が経過したと判断されれば、制御部１００はフード装置駆動部１２０を制御してフードモータＨＭを作動させる（Ｓ４０）。
【００１８】
第２の制御方法は、図３（Ｂ）及び図４Ｂに示した通り、作動初期フードモーターＨＭを作動させ、所定時間中電子レンジを最大出力以下に作動させ、所定時間が経過すれば電子レンジを最大出力で作動させる。
【００１９】
このための制御方法を後述する。
制御部１００はキー入力部９０を介して入力される情報に基づき作動開始、すなわち調理開始か否かを判断する（Ｓ１１０）。段階（Ｓ１１０）において作動開始と判断されれば、制御部１００はフード装置駆動部１２０を制御してフードモーターＨＭを作動させる（Ｓ１２０）。
【００２０】
段階（Ｓ１２０）の以降、制御部１００はパルス幅変調部６２を介して第１スイッチング素子Ｑ１及び第２スイッチング素子Ｑ２の駆動デューティー比が最大デューティー比より低く制御する。すなわち、電子レンジを最大出力以下に作動させる（Ｓ１３０）。
【００２１】
そして、制御部１００は予め設定された基準時間が経過したかを判断する（Ｓ１４０）。段階（Ｓ１４０）において予め設定された基準時間が経過したと判断されれば、制御部１００はパルス幅変調部６２を通じて第１スイッチング素子Ｑ１及び第２スイッチング素子Ｑ２の駆動デューティー比が最大デューティー比（１００％）になるよう制御する。すなわち、電子レンジが最大出力で作動するように制御する（Ｓ１５０）。
【００２２】
第３の制御方法は、図３（Ｃ）及び図４Ｃに示した通り、作動初期電子レンジを先に作動させ、フードモーターＨＭは一定時間経過した後作動を開始して徐々にスピードを出す。このための制御方法は次の通りである。
【００２３】
制御部１００はキー入力部９０を介して入力される情報に基づき作動開始、すなわち調理開始か否かを判断する（Ｓ２１０）。段階（Ｓ２１０）において作動開始と判断されれば、制御部は出力変換手段６０のパルス幅変調部６２を制御して第１スイッチング素子Ｑ１及び第２スイッチング素子Ｑ２をターンオンさせ電子レンジを作動させる（Ｓ２２０）。
【００２４】
電子レンジの作動後、制御部１００は、予め設定された第１基準時間（ΔＴ１）が経過したかを判断する（Ｓ２３０）。段階（Ｓ２３０）において第１基準時間（ΔＴ１）が経過したと判断されれば、制御部１００はフード装置駆動部１２０を制御してフードモータＨＭをゆっくり作動させ回転数を増やす（Ｓ２４０）。
【００２５】
制御部１００は予め設定された第２基準時間（ΔＴ２）が経過したかを判断する（Ｓ２５０）。段階（Ｓ２５０）において第２基準時間（ΔＴ２）が経過したと判断されれば、制御部１００はフードモーターＨＭが完全にターンオン、すなわち予め設定された最高回転数で作動するようにフード装置駆動部１２０を制御する（Ｓ２６０）。
【００２６】
図５を参照すれば、従来に比べて電流消費特性が向上されることが分かる。
以上の通り、フードモーター作動状態により電子レンジの出力を調節できる。
よって、全体消費電力量内で過負荷を防止しながら電子レンジの出力を定格出力以内で最大に維持することができる。
【００２７】
【発明の効果】
以上述べた通り、本発明に係る壁掛け型電子レンジ及びその制御方法によれば、作動初期所定時間中フードモーターと電子レンジが同時に最大出力で作動されることを防止するので、全体消費電力量を調節し過負荷を防止することができる効果を奏する。
【図面の簡単な説明】
【図１】  （Ａ）及び（Ｂ）は従来の電子レンジの作動を説明するためのグラフである。
【図２】  本発明に係る壁掛け型電子レンジを説明するための回路図である。
【図３】  （Ａ）ないし（Ｃ）は本発明に係る壁掛け型電子レンジの制御方法を説明するためのグラフである。
【図４Ａ】  本発明に係る壁掛け型電子レンジの制御方法を説明するための流れ図である。
【図４Ｂ】  本発明に係る壁掛け型電子レンジの制御方法を説明するための流れ図である。
【図４Ｃ】  本発明に係る壁掛け型電子レンジの制御方法を説明するための流れ図である。
【図５】  本発明に係る壁掛け型電子レンジの特性を説明するための説明図である。
【符号の説明】
１０  電源コード
２０  フード装置
２１  フードモーターリレイ
２２  フードランプリレイ
３０  フィルター部
４０  低圧トランスフォーマ
５１  第１安全スイッチ
５２  モニタースイッチ
５３  第２安全スイッチ
５４  パワーリレイ
６０  出力変換手段
６１  整流部
６２  パルス幅変調部
７０  高圧トランスフォーマ
８０  マグネトロン
９０  キー入力部
１００  制御部
１１０  リレイ駆動部
１２０  フード装置駆動部
【図１】
0003946002.tif 000002
【図２】
0003946002.tif 000003
【図３】
0003946002.tif 000004
【図４Ａ】
0003946002.tif 000005
【図４Ｂ】
0003946002.tif 000006
【図４Ｃ】
0003946002.tif 000007
【図５】
0003946002.tif 000008